(57)【要約】【課題】  仮枠の構造が簡素化され、仮枠を正確に且つ効率良く組立てることができ、施工時間を短縮することができる仮枠保持具を提供する。【解決手段】  基礎地盤２上に築かれる基礎１の仮枠８を保持する仮枠保持具１０が、基礎１の厚さより長く形成されると共に、この基礎１が築かれる基礎地盤２にベース筋６の両側端を基準として打ち込まれる杭部１１と、この杭部１１の長さ方向の略中間部に設けられ、仮枠８の傾動を防止して正常な姿勢で保持する保持部１２と、を備えて構成される。この保持部１２は、横部材１３と、この横部材１３に設けられ、仮枠８の上端を挿嵌保持する第１部材１４Ａと第１部材１４Ｂとからなる挟持部１４とで構成される。【選択図】  図２
0003116081.tif 000002
【実用新案登録請求の範囲】
【請求項１】
基礎地盤２上に築かれる基礎１のベース筋６両側に沿って並設される一対の仮枠８を保持する仮枠保持具１０であって、
上記基礎１の厚さより長く形成されるとともに、上記ベース筋６の両側端を基準として上記基礎地盤２に打ち込まれる杭部１１と、この杭部１１の長手方向略中間部位に設けられ、上記仮枠８の内外への傾動を防止して垂直な姿勢で保持する保持部１２と、を備えていることを特徴とする仮枠保持具１０。
【請求項２】
上記保持部１２が、上記杭部１１の上部側面から当該杭部１１と直交するように外側に張出した横部材１３と、この横部材１３の張出した先端に上記杭部１１の下端１１Ａ側に向けて所定間隔をもって平行に延出する一対の第１部材１４Ａおよび第２部材１４Ｂからなる挟持部１４とから構成され、
上記杭部１１の横部材１３とは反対側となる内側側面には、当該横部材１３より下方に上記基礎１のベース筋６に上方から係合可能に構成された係合部材１５が突設して成り、
上記杭部１１を基礎地盤２に打ち込んだ際、上記係合部材１５が上記ベース筋６の側面に係合すると共に上記杭部１１の上端が上記挟持部１４に挿嵌保持されるようにしたことを特徴とする請求項１に記載の仮枠保持具１０。
【請求項３】
上記杭部１１の上端部には、把持部１６が設けられていることを特徴とする請求項１または請求項２に記載の仮枠保持具１０。
【請求項４】
上記保持部は、上記杭部１１の上部側面から当該杭部１１と直交するように外側に張出した横部材２３と、当該横部材２３の先端から上記杭部１１の下端１１Ａ側に向けて上記杭部１１と所定間隔をもって平行に延出するように形成された仮枠当接部材２４と、から成り、
上記ベース筋６の外側面に上記杭部１１を基礎地盤２に対し垂直に打ち込んだ際、上記仮枠当接部材２４が上記仮枠８の内側への傾動を防止するようにしたことを特徴とする請求項１または請求項３に記載の仮枠保持具２０（１０）。
【請求項５】
上記保持部３２（１２）は、上記杭部１１の上部側面から当該杭部１１と直交するように外側に張出した横部材３３と、この横部材３３の長手方向に所定間隔毎に穿設された複数の貫通孔３３Ａに上記杭部１１と平行に挿通保持される固定棒３４とを備えて構成され、上記ベース筋６の外側面に基礎地盤２に対し垂直に打ち込まれた上記杭部１１の横部材３３の何れかの貫通孔３３Ａを挿通した固定棒３４の下端３４Ａが上記基礎地盤２に打ち込まれ、当該固定棒３４が、上記仮枠８の内側への傾動を防止するようにしたことを特徴とする請求項１または請求項３に記載の仮枠保持具３０（１０）。
【考案の詳細な説明】
【技術分野】
【０００１】
本考案は、仮枠保持具に係り、更に詳しくは、布基礎のフーチング部を形成する際に使用される仮枠を保持する仮枠保持具に関する。
【背景技術】
【０００２】
一般に、建物等の構造体は、基礎地盤上に築かれた基礎上に構築される。このような基礎としては、通常、布基礎が用いられることが多い。一般的な布基礎は、フーチング部と立ち上がり部とから断面逆Ｔ字状に形成されており、根切りして砕石地業を行なった基礎地盤上に築かれる。
【０００３】
布基礎は、フーチング部の作成から始まる。すなわち、基礎地盤上に複数の水平基準用のレベルモルタルを配設してこれらレベルモルタル上にコンクリートブロックを載せると共に、上記基礎地盤上にも直接コンクリートブロックを載せ、これらのコンクリートブロック上にベース筋を水平に設置する。
【０００４】
一方、立ち上がり部は、基礎地盤上に、フーチング部用の仮枠を設置してその仮枠内にコンクリートスラリーを打設し、それが養生したのち仮枠を取り外すことにより形成される。フーチング部が形成されたら、立ち上がり部用の仮枠を設置した後、仮枠内にコンクリートスラリーを打設し、そのコンクリートスラリーを養生した後、仮枠を取り外すことにより形成されている。なお、立ち上がり部には、ベース筋と一体化された立ち上がり筋が埋め込まれる。
【０００５】
このベース筋は、所定間隔で対向する互いに平行な３本の長手部材と、これらの長手部材間に所定間隔で架けわたされ、互いの長手部材同士を連結する連結部材とで梯子状に構成されている。
【０００６】
このような布基礎を形成する仮枠を保持する仮枠保持具として、基礎地盤上に互いに平行に離間して配設した一対の仮枠板を連結し、所定位置に固定する仮枠保持具が知られている（特許文献１参照）。
【０００７】
上記特許文献１に示す仮枠保持具３００は、図１１に示すように、仮枠板３０５を連結する仮枠連結具３０２，３０４、アンカー杭３０７を挿通して地中に打ち込み上記仮枠板３０５を固定する仮枠固定具３０３、両仮枠板３０５上に架設してこれら両仮枠板３０５を一定間隔に保持する間隔保持具３０６を備えた構成となっている。
【０００８】
【特許文献１】特開平１０−３７２０７号公報
【考案の開示】
【考案が解決しようとする課題】
【０００９】
ところで、上記特許文献１の仮枠保持具３００は、両仮枠板３０５の側面に予め仮枠連結具３０２，３０４や仮枠固定具３０３がビス止、あるいは釘等で取り付けられ、これら仮枠連結具３０２，３０４の内部、および仮枠固定具３０３の外部には、アンカー杭３０７を打ち込むための中空パイプ３０８が固着されている。
【００１０】
また、両仮枠板３０５の間隔を一定に保持するために、両仮枠板３０５の内側仮枠３０５Ａと外側仮枠３０５Ｂ上端に両端部３０６Ａ、３０６Ａを嵌め込んで架けわたす間隔保持具３０６が用いられている。
【００１１】
そこで、両仮枠板３０５を基礎地盤上に固定するに際し、間隔保持具３０６によって両仮枠板３０５の間隔を一定に保持した状態で列設配置し、仮枠連結具３０２，３０４や仮枠固定具３０３にアンカー杭３０７を挿通させて基礎地盤に打ち込み固定する施工手順が採られている。
【００１２】
従って、内側仮枠３０５Ａと外側仮枠３０５Ｂ上端に間隔保持具３０６を架け渡して両端部３０６Ａ、３０６Ａを嵌め込むためには、両仮枠板３０５間隔の正確さが要求されるため手間が掛かるだけでなく、両仮枠板３０５の上端に間隔保持具３０６を架け渡し保持した状態でなければ仮枠連結具３０２，３０４を通してアンカー杭３０７を打ち込み固定することができないため、組立効率が悪くなる問題を有している。
【００１３】
また、両仮枠板３０５の側面には、仮枠連結具３０２，３０４や仮枠固定具３０３が予め取り付けられる構成となっているので、これら仮枠連結具３０２，３０４や仮枠固定具３０３を取り付けるための手間が多くかかり、結果的に施工費用が増大する問題を有している。
【００１４】
本考案は、このような問題点に着目してなされたもので、仮枠の構造が簡素化され、仮枠を正確に且つ効率良く組立てることができ、施工時間を短縮することができる仮枠保持具を提供することを目的とする。
【課題を解決するための手段】
【００１５】
上記目的を解決するために、本考案の請求項１に記載の仮枠保持具１０は、基礎地盤２上に築かれる基礎１のベース筋６両側に沿って並設される一対の仮枠８を保持する仮枠保持具１０であって、上記基礎１の厚さより長く形成されるとともに、上記ベース筋６の両側端を基準として上記基礎地盤２に打ち込まれる杭部１１と、この杭部１１の長手方向略中間部位に設けられ、上記仮枠８上端の内外への傾動を防止して垂直な姿勢で保持する保持部１２と、を備えていることを特徴とする仮枠保持具１０。
上記の仮枠保持具１０によれば、上記ベース筋６の両側端を基準として上記杭部１１を基礎地盤２に打ち込むことで、上記ベース筋６両側に沿って並設される一対の仮枠８の上端が、上記保持部１２によって垂直な姿勢で保持される。
【００１６】
本考案の請求項２に記載の仮枠保持具１０は、上記保持部１２が、上記杭部１１の上部側面から当該杭部１１と直交するように外側に張出した横部材１３と、この横部材１３の張出した先端に上記杭部１１の下端１１Ａ側に向けて所定間隔をもって平行に延出する一対の第１部材１４Ａおよび第２部材１４Ｂからなる挟持部１４とから構成され、上記杭部１１の横部材１３とは反対側となる内側側面には、当該横部材１３より下方に上記基礎１のベース筋６に上方から係合可能に構成された係合部材１５が突設して成り、上記杭部１１を基礎地盤２に打ち込んだ際、上記係合部材１５が上記ベース筋６の側面に係合すると共に上記杭部１１の上端が上記挟持部１４に挿嵌保持されるようにしたことを特徴とする仮枠保持具１０である。
上記の仮枠保持具１０によれば、上記杭部１１を上記ベース筋６の両側端を基準として基礎地盤２に打ち込んだ際、上記杭部１１の内側側面に突設した係合部材１５が、上記基礎１のベース筋６の側面に上方から係合すると共に上記杭部１１の上端が上記挟持部１４に挿嵌保持される。
【００１７】
本考案の請求項３に記載の仮枠保持具１０は、上記杭部１１の上端部には、把持部１６が設けられていることを特徴とする仮枠保持具１０である。
上記の仮枠保持具１０によれば、基礎地盤２に深く打ち込まれた杭部１１は、仮枠保持具１０の分解時に把持部１６を介して引き抜かれる。
【００１８】
本考案の請求項４に記載の仮枠保持具２０は、上記保持部が、上記杭部１１の上部側面から当該杭部１１と直交するように外側に張出した横部材２３と、当該横部材２３の先端から上記杭部１１の下端１１Ａ側に向けて上記杭部１１と所定間隔をもって平行に延出するように形成された仮枠当接部材２４と、から成り、上記ベース筋６の外側面に上記杭部１１を基礎地盤２に対し垂直に打ち込んだ際、上記仮枠当接部材２４が上記仮枠８の内側への傾動を防止するようにしたことを特徴とする仮枠保持具２０（１０）である。
上記の仮枠保持具２０（１０）によれば、上記ベース筋６の外側面に上記杭部１１を基礎地盤２に対し垂直に打ち込んだ際、上記仮枠８の内側が上記仮枠当接部材２４により保持される。
【００１９】
本考案の請求項５に記載の仮枠保持具３０は、上記保持部３２（１２）が、上記杭部１１の上部側面から当該杭部１１と直交するように外側に張出した横部材３３と、この横部材３３の長手方向に所定間隔毎に穿設された複数の貫通孔３３Ａに上記杭部１１と平行に挿通保持される固定棒３４とを備えて構成され、上記ベース筋６の外側面に基礎地盤２に対し垂直に打ち込まれた上記杭部１１の横部材３３の何れかの貫通孔３３Ａを挿通した固定棒３４の下端３４Ａが上記基礎地盤２に打ち込まれ、当該固定棒３４が、上記仮枠８の内側への傾動を防止するようにしたことを特徴とする仮枠保持具３０（１０）である。
上記の仮枠保持具３０（１０）によれば、上記ベース筋６の外側面に基礎地盤２に対し垂直に打ち込まれた上記杭部１１の、横部材３３の複数の貫通孔３３Ａのうち、並設された上記仮枠８外側の近接位置に位置するに最適な貫通孔３３Ａが選択され、この貫通孔３３Ａを通して基礎地盤２に打ち込まれた固定棒３４により上記仮枠８の内側が保持される。
【考案の効果】
【００２０】
本考案は以下の効果を奏する。
【００２１】
請求項１に記載の考案によれば、ベース筋の両側端を基準として杭部を基礎地盤に打ち込むことで、上記ベース筋両側に沿って並設される一対の仮枠上端が垂直な姿勢に保持され、上記杭部に設けた保持部によって上記仮枠の内外への傾動が防止される。
【００２２】
請求項２に記載の考案によれば、杭部をベース筋の両側端を基準として基礎地盤に打ち込んだ際、上記杭部の内側側面に突設した係合部材が、上記ベース筋の側面に上方から係合すると共に上記杭部の上端が挟持部に挿嵌保持されて仮枠の内外への傾動が防止されて垂直な姿勢で保持することができる。
【００２３】
請求項３に記載の考案によれば、基礎地盤に深く打ち込まれた杭部は、仮枠保持具の分解時に把持部を把持することで容易に引き抜くことができる。
【００２４】
請求項４に記載の考案によれば、ベース筋の外側面に、杭部を基礎地盤に対し垂直に打ち込んだ際、仮枠の内側が上記仮枠当接部材により傾動不能に保持される。
【００２５】
請求項５に記載の考案によれば、ベース筋の外側面に、基礎地盤に対し垂直に打ち込まれた杭部の横部材における複数の貫通孔のうち、並設された仮枠内側の近接する位置に位置する固定棒が挿通可能な貫通孔が選択され、この貫通孔を通して基礎地盤２に打ち込まれた固定棒により上記仮枠の内側が傾動不能に保持される。
【考案の実施するための最良の形態】
【００２６】
本考案の実施例を以下に説明する。
【実施例１】
【００２７】
図１、図２には、本考案の実施例１に係る仮枠保持具１０が示されている。図１は、仮枠保持具１０が使用される布基礎を示す全体縦断面図、図２は仮枠保持具１０の全体側面図である。
【００２８】
本実施例１の仮枠保持具１０は、上記布基礎１のフーチング部１Ａを形成するために用いられる仮枠８を垂直な姿勢（正常な姿勢）に保持するもので、図１には仮想線で示されている。
【００２９】
ここで、フーチング部１Ａを形成した後、フーチング部１Ａの上部に、立ち上がり部１Ｂ用の仮枠９が設置され、その仮枠９内にコンクリートスラリーが打設され、そのコンクリートスラリーが養生した後、仮枠９を取り外すことにより立ち上がり部１Ｂが形成されるようになっている。
【００３０】
図２において、仮枠保持具１０は、上記フーチング部１Ａの厚さより長く、かつフーチング部１Ａが形成される基礎地盤２に打ち込まれる杭部１１を有している。
【００３１】
この杭部１１の長さ方向の略中間部には、上記仮枠８に近接するとともに当該仮枠８の外側への傾動を防止して、正常な姿勢で保持する保持部１２が設けられている。
【００３２】
杭部１１は、例えば中空の丸パイプ部材で形成されており、基礎地盤２側の下端１１Ａは、その片側を斜めに切り落とした形状とされており、基礎地盤２に打ち込み易いように形成されている。
【００３３】
保持部１２は、杭部１１の上部側面からこの杭部１１と直交するように外側に向けて横方向に張出した横部材１３と、この横部材１３の張出した先端に上記杭部１１の下端１１Ａ側に向けて所定間隔をもって平行に延出する一対の第１部材１４Ａおよび第２部材１４Ｂからなる挟持部１４とから構成され、上記杭部１１の横部材１３とは反対側となる内側側面には、当該横部材１３より下方に上記基礎１の後述するベース筋６に上方から係合可能に構成された係合部材１５が突設している。
【００３４】
ここで、ベース筋６は、図１２に示されるように、所定間隔で対向する互いに平行な３本の長手部材６Ａと、これらの長手部材６Ａ間に所定間隔で架けわたされ、互いの長手部材６Ａ同士を連結する連結部材６Ｂとで梯子状に構成されている。
【００３５】
横部材１３と挟持部１４とは、杭部１１と同じ材料、すなわち、中空の丸パイプ部材（例えば鋳鉄）で形成されており、上記挟持部１４は、横部材１３の張出した先端に上記杭部１１の下端１１Ａ側に向けて所定間隔をもって平行に延出する一対の第１部材１４Ａおよび第２部材１４Ｂから成り、上記杭部１１を基礎地盤２に打ち込んだ際、上記係合部材１５が上記ベース筋６の側面に係合すると共に上記杭部１１の上端が上記挟持部１４に挿嵌保持されるように構成されている。
【００３６】
第１部材１４Ａと第２部材１４Ｂとの間隔は、上記仮枠８の板厚よりわずかに大きな寸法に設定され、両者１４Ａ、１４Ｂで仮枠８上端が挿嵌保持されるようになっている。また、第１部材１４Ａの長さを、仮想線で示すように仮枠８の高さの半分程度まで下方に延びる寸法とし、より保持効果が出るようにしてもよい。
【００３７】
係合部材１５も中空の丸パイプ部材で形成されている。この係合部材１５は、上記杭部１１の横部材１３とは反対側となる内側側面にあって、この横部材１３より下方に基礎１のベース筋６に上方から係合可能に構成されている。
【００３８】
上記係合部材１５は下向き略Ｌ字状に形成され、Ｌ字の１辺は杭部１１の長手方向と直交させて水平に延出するとともに、他の１辺は杭部１１の下端１１Ａ側に向くよう折曲形成されている。
【００３９】
そこで、仮枠保持具１０を取り付ける際は、杭部１１を基礎地盤２に打ち込むことで、仮枠８の上端に挟持部１４の第１部材１４Ａと第２部材１４Ｂが挿嵌され、上記杭部１１の打ち込み動作で横部材１３における第１部材１４Ａと第２部材１４Ｂとの間の下面が仮枠８の上端との間隙が近接した状態では、上記Ｌ字の水平部が、上記ベース筋６両側の長手部材６Ａに係合されるようになっている。
【００４０】
杭部１１の上端部には、把持部１６が設けられている。この把持部１６は、当該杭部１１よりも外径が大きく形成されており、例えば所定直径の丸棒の内部に切られた雌ねじと、杭部１１上端部に螺設した雄ねじにより接合されており、上記両者１１，１６を溶接により接合することもできる。なお、把持部１６は、段付き大径状に形成したものに付き説明したが、この形状に限定されるものではなく、杭部１１の上端をＴ字状に形成したりＬ字状に形成することができる。
【００４１】
杭部１１に対する横部材１３および係合部材１５ないし、及び横部材１３に対する一対の第１部材１４Ａと第２部材１４Ｂの取り付けは、溶接により行われている。そして、上記のように構成された仮枠保持具１０は、仮枠８の長手方向に沿って、例えば９００ｍｍ〜４０００ｍｍの間隔で配設されるようになっている。
【００４２】
次に、以上のように構成された仮枠保持具１０を用いて布基礎１用の仮枠８を保持する組立手順に付き図３〜図６を参照して説明する。図３は仮枠保持具を用いた仮枠の設置する手順を示す説明図、図４は仮枠保持具により仮枠を保持する状態を示す説明図、図５は仮枠内にコンクリートスラリーを打設した状態を示す説明図、図６は仮枠保持具を取り外す状態を示す説明図である。
【００４３】
まず、図３において、地盤を根切りして砕石地業を行なった基礎地盤２上に、所定幅をもって布基礎１のフーチング部１Ａ用の一対の仮枠８を並設し、この仮枠８の内側面には墨出しＳがなされる。
【００４４】
図４において、立ち上がり筋７を一体的に接合したベース筋６を水平にして、複数箇所に所定間隔毎に配置されたコンクリートブロック４，５上に載置する。
この際、立ち上がり筋７の上端主筋７Ａは、地面上の所定位置との間に斜めに架けわたされた補強筋７Ｂにより保持されており、立ち上がり筋７の転倒防止を図っている。
【００４５】
基礎地盤２上に一対の仮枠８が並設されると、図４に示すように、複数の仮枠保持具１０が所定間隔毎に取り付けられる。この取り付けに際し、ベース筋６の両側端を基準として上記杭部１１を基礎地盤２に打ち込むことで、上記ベース筋６両側に沿って仮枠保持具１０が設置されるが、上記杭部１１を垂直に基礎地盤２に打ち込んだ際、杭部１１の内側側面に突設した係合部材１５が、上記ベース筋６両側面の長手部材６Ａに上方から係合すると共に上記杭部１１の上端が上記挟持部１４の第１部材１４Ａと第２部材１４Ｂに挿嵌保持される。
【００４６】
このように仮枠保持具１０は、例えば９００ｍｍ〜４０００ｍｍ間隔で、仮枠８の長手方向、つまり布基礎１の長手方向に沿って、基礎地盤２に打ち込まれる。
【００４７】
次いで、図５において、仮枠８内にコンクリートスラリーＣを打設してフーチング部１Ａを形成し、そのコンクリートスラリーＣが養生する前に、図６に示すように、全ての仮枠保持具１０を、コンクリートスラリーＣから矢印Ａ方向に引き抜く。
【００４８】
その後、所定間隔毎にバイブレータ５０の振動先端部５０ＡをコンクリートスラリーＣの中に差し込み、所定時間、例えば１０秒間振動させ、コンクリートスラリーＣの締め固めを行なう。これにより、仮枠保持具１０を引き抜いた後の孔も埋まり、完全なフーチング部１Ａが形成される。
【００４９】
そして、フーチング部１Ａの上面に、上記立ち上がり部１Ｂ用の仮枠９(図１参照)を組み立て、立ち上がり筋７の周囲に、コンクリートスラリーＣを打設し、そのコンクリートスラリーＣが養生した後、仮枠９を取り外す。最後に、フーチング部１Ａの上面、および立ち上がり部１Ｂの側面に、土盛り等を行ない、所定の布基礎１を完成させる。
【００５０】
以上のような実施例１によれば、次のような効果が得られる。
（１）従来のように仮枠板の側面に、仮枠連結具や仮枠固定具を予め取り付けた構成に比し、本発明では仮枠板８には何も取り付ける必要がなく、仮枠保持具１０が、基礎地盤２に打ち込まれる杭部１１と、仮枠８の傾動を防止する保持部１２とを備えた部品点数の少ない簡素な構造となるので、製造コストを低減することができる。
【００５１】
（２）ベース筋６の両側端を基準として杭部１１を基礎地盤２に打ち込むだけで、杭部１１の内側側面に突設した係合部材１５が、上記ベース筋６の側面に上方から係合すると共に上記杭部１１の上端が挟持部１４に挿嵌保持されて仮枠８の内外への傾動が防止され垂直な姿勢で保持することができるので、仮枠８を正確に且つ効率良く組立てることができ、施工時間を短縮することができる。
【実施例２】
【００５２】
次に、図７に基づいて、本考案の実施例２を説明する。図７は本考案の実施例２に係る仮枠保持具の全体正面図である。
【００５３】
上記実施例１では、仮枠保持具１０を、その保持部１２が、横部材１３と、第１部材１４Ａおよび第２部材１４Ｂからなる挟持部１４とで構成されていたものを、本実施例２では、仮枠保持具２０を、横部材２３と仮枠当接部材２４とからなる保持部２２の構成としたものである。
【００５４】
すなわち、保持部２２は、上記杭部１１と、この杭部１１の側面に杭部１１と直交して設けられた横部材２３と、この横部材２３の先端に、杭部１１の下端方向に延びた上記仮枠当接部材２４とを備えて構成されている。
【００５５】
下向きＬ字型に折曲した中空の丸パイプ材で形成された横部材２３および仮枠当接部材２４は、この横部材２３の一端が杭部１１の側面に溶接により接合され、仮枠当接部材２４が仮枠８の外側側面に近接して設けられ、これにより、仮枠８の内側（ベース筋６側）への傾動を防止する構成となっている。なお、この実施例２および後述する実施例３において、上記実施例１と同一部材には、同一符号を付し、その詳細な説明は省略する。
【００５６】
このような仮枠保持具２０によれば、上記（１）、（２）と同様の効果の他、仮枠８の外側に作用する外圧によって内側への傾動を仮枠当接部材２４によって保持することができ、その結果、仮枠８を正常な姿勢に保持できる。
【００５７】
なお、この仮枠保持具２０は、保持部２２が杭部１１に対し仮枠当接部材２４が所定間隔をもって取りつけられているので、ベース筋６両外側の長手部材６Ａに杭部１１を近接して配置する以外に、長手部材６Ａの内側に杭部１１を配置した状態で基礎地盤２に打ち込むこともできる。
【実施例３】
【００５８】
次に、本考案の実施例３に付き図８、図９を参照して説明する。図８は実施例３に係る仮枠保持具を示す一部断面の全体正面図、図９は図８における９−９線に沿った断面図である。本実施例３に係る仮枠保持具３０は、並設された仮枠８が内外へ拡縮して設置されたときの寸法誤差に対応できる構成としたものである。
【００５９】
すなわち、仮枠保持具３０の保持部３２は、上記杭部１１と、この杭部１１の側面に杭部１１と直交して設けられた横部材３３と、この横部材３３に穿設された複数の貫通孔３３Ａに選択的に差し込まれる固定棒３４とを備えて構成されている。
【００６０】
横部材３３は板材で形成され、その一端が杭部１１に溶接により接合されている。横部材３３には、その上下方向に複数の貫通孔３３Ａが所定間隔で穿設されている。これらの貫通孔３３Ａには、固定棒３４が挿通されるようになっており、固定棒３４は、貫通孔３３Ａに挿通した後、基礎地盤２に打ち込まれるようになっている。
【００６１】
また、固定棒３４は、中空あるいが中実の丸パイプ等で形成され、その下端３４Ａは、杭部１１と同様に尖って形成され、地中への打ち込みが容易になっている。好ましくは、固定棒３４は、地中に打ち込まれた際、仮枠８の外側側面と接触、あるいは極めて近接した位置に配置される。
【００６２】
このような仮枠保持具３０で仮枠８を保持するには、ベース筋６両外側の長手部材６Ａに近接する外側、または内側に杭部１１を打ち込んだ後、並設された仮枠８外側の近接位置に位置するに最適な貫通孔３３Ａを選択し、その選択した貫通孔３３Ａに固定棒３４を挿通させるとともに、下端３４Ａを基礎地盤２に打ち込んで固定する。
【００６３】
このような仮枠保持具３０によれば、上記（１）、（２）と同様の効果の他、仮枠８を、打ち込まれた杭部１１との間隔に対応する貫通孔３３Ａが選択された後、その貫通孔３３Ａに挿通した固定棒３４により保持することができるので、仮枠８が、内外に拡縮して設置されたときの寸法誤差に対応することができる。
【００６４】
以上、説明したように、上記各実施例の杭部１１ないし実施例１、２の横部材１３，２３、保持部１２，２２及び実施例１の係合部材１５は、中空の丸パイプで形成されているが、これに限らず、中空の角パイプ、あるいは中実の丸棒、角棒で形成してもよいことは勿論である。
【図面の簡単な説明】
【００６５】
【図１】本考案の実施例１係る仮枠保持具が使用される布基礎を示す全体縦断面図である。
【図２】上記実施例１の仮枠保持具を示す全体正面図である。
【図３】上記実施例１の仮枠保持具を用いた仮枠の設置する手順を示す説明図である。
【図４】上記実施例１の仮枠保持具により仮枠を保持する状態を示す説明図である。
【図５】仮枠内にコンクリートスラリーを打設した状態を示す説明図である。
【図６】仮枠保持具を取り外す状態を示す説明図である。
【図７】本考案の実施例２に係る仮枠保持具の全体正面図である。
【図８】本考案の実施例３に係る仮枠保持具を示す一部断面の全体正面図である。
【図９】図８における９−９線に沿った断面図である。
【図１０】布基礎内に配置されるベース筋を示す全体斜視図である。
【図１１】従来の仮枠保持装置を示す部分斜視図である。
【符号の説明】
【００６６】
１                布基礎
１Ａ              フーチング部
１Ｂ              立ち上がり部
２                基礎地盤
４，５            コンクリートブロック
６                ベース筋
６Ａ              長手部材
６Ｂ              連結部材
７                立ち上がり筋
７Ａ              上端主筋
７Ｂ              補強筋
８                仮枠
９                仮枠
１０，２０，３０  仮枠保持具
１１              杭部
１１Ａ            下端
１２，２２，３２  保持部
１３，２３，３３  横部材
１４              挟持部
１４Ａ            第１部材
１４Ｂ            第２部材
１５              係合部材
１６              把持部
２４              仮枠当接部材
３３Ａ            貫通孔
３４              固定棒
３４Ａ            下端
５０              バイブレータ
５０Ａ            振動先端部
Ｃ                コンクリートスラリー
【図１】
0003116081.tif 000003
【図２】
0003116081.tif 000004
【図３】
0003116081.tif 000005
【図４】
0003116081.tif 000006
【図５】
0003116081.tif 000007
【図６】
0003116081.tif 000008
【図７】
0003116081.tif 000009
【図８】
0003116081.tif 000010
【図９】
0003116081.tif 000011
【図１０】
0003116081.tif 000012
【図１１】
0003116081.tif 000013